(57)【要約】  【課題】  インターネット等のネットワークを介して配信される情報に基づいて音声信号等を再生するＡＶプレーヤにおいて、利用期限が定めされたコンテンツを再生する場合に、時刻情報の改竄を防止して適切な運用を図る。  【解決手段】  このＡＶプレーヤは、受信した電波に基づいて時刻情報を取得する受信手段４０と、生成したクロック信号をカウントすることにより時間を計測する時間計測手段５１、５２と、時刻情報と計測された時間とに基づいて現在時刻を認識することにより、認識された現在時刻が情報の利用期限内である場合に音声信号等の再生を可能にすると共に、受信手段によって時刻情報が取得できない場合に、時間計測手段によって計測された時間に基づいて、ユーザが現在時刻を更新することができる回数及び／又は範囲を制限する制御手段５４と、音声信号等を再生する信号再生手段３０とを具備する。【選択図】  図１
2006202390.tif 000002
【特許請求の範囲】
【請求項１】
利用期限が定められて外部から提供される情報に基づいて音声信号及び／又は画像信号を再生するＡＶプレーヤであって、
受信した電波に基づいて時刻情報を取得する受信手段と、
生成したクロック信号をカウントすることにより時間を計測する時間計測手段と、
前記受信手段によって取得された時刻情報と前記時間計測手段によって計測された時間とに基づいて現在時刻を認識することにより、認識された現在時刻が情報の利用期限内である場合に音声信号及び／又は画像信号の再生を可能にすると共に、前記受信手段によって時刻情報が取得できない場合に、前記時間計測手段によって計測された時間に基づいて、ユーザが現在時刻を更新することができる回数及び／又は範囲を制限する制御手段と、
外部から提供された情報を格納すると共に、前記制御手段の制御の下で、格納されている情報に基づいて音声信号及び／又は画像信号を再生する信号再生手段と、
を具備するＡＶプレーヤ。
【請求項２】
前記制御手段が、ユーザによって現在時刻が更新された際に前記時間計測手段に含まれているタイマーをリセットし、前記タイマーによって計測されたリセットされてからの経過時間に基づいて、ユーザが現在時刻を更新することができる回数及び／又は範囲を制限する、請求項１記載のＡＶプレーヤ。
【請求項３】
前記時間計測手段において発生し得る誤差に関する情報を記憶する記憶手段をさらに具備し、
前記制御手段が、ユーザによって現在時刻が更新された際に前記時間計測手段に含まれているタイマーをリセットし、前記タイマーによって計測されたリセットされてからの経過時間と前記記憶手段に記憶されている誤差に関する情報とに基づいて、ユーザが現在時刻を更新することができる回数及び／又は範囲を制限する、請求項１記載のＡＶプレーヤ。
【請求項４】
温度を検知する温度検知手段をさらに具備し、
前記制御手段が、前記温度検知手段によって検知された温度に基づいて、前記時間計測手段によって計測された時間を修正し、及び／又は、ユーザが現在時刻を更新することができる範囲を修正する、
請求項１〜３記載のＡＶプレーヤ。
【請求項５】
利用期限が定められて外部から提供される情報に基づいて音声信号及び／又は画像信号を再生するＡＶプレーヤであって、
受信した電波に基づいて時刻情報を取得する受信手段と、
生成したクロック信号をカウントすることにより時間を計測する時間計測手段と、
前記時間計測手段において発生し得る誤差に関する情報を記憶する記憶手段と、
前記受信手段によって取得された時刻情報と前記時間計測手段によって計測された時間と前記記憶手段に記憶されている誤差に関する情報とに基づいて、音声信号及び／又は画像信号の再生を可能とする制御手段と、
外部から提供された情報を格納すると共に、前記制御手段の制御の下で、格納されている情報に基づいて音声信号及び／又は画像信号を再生する信号再生手段と、
を具備するＡＶプレーヤ。
【請求項６】
前記制御手段が、前記受信手段によって取得された時刻情報と前記時間計測手段によって計測された時間とに基づいて現在時刻を認識すると共に、前記受信手段によって最後に時刻情報を取得した際に、前記時間計測手段に含まれているタイマーをリセットし、前記タイマーによって計測されたリセットされてからの経過時間と前記記憶手段に記憶されている誤差に関する情報とに基づいて、前記時間計測手段において現在発生し得る誤差を算出し、認識された現在時刻が情報の利用期限を経過しても現在発生し得る誤差内である場合に音声信号及び／又は画像信号の再生を可能とする、請求項５記載のＡＶプレーヤ。
【請求項７】
温度を検知する温度検知手段をさらに具備し、
前記制御手段が、前記温度検知手段によって検知された温度に基づいて、前記時間計測手段によって計測された時間を修正し、及び／又は、前記時間計測手段において現在発生し得る誤差を算出する際に誤差の値を修正する、
請求項６記載のＡＶプレーヤ。
【請求項８】
前記受信手段が、電波時計用の電波を受信して時刻情報を取得する、請求項１〜７のいずれか１項記載のＡＶプレーヤ。
【請求項９】
前記受信手段が、ＧＰＳ用の電波を受信して時刻情報を取得する、請求項１〜７のいずれか１項記載のＡＶプレーヤ。
【発明の詳細な説明】
【技術分野】
【０００１】
本発明は、インターネット等のネットワークを介して配信される情報をダウンロードして音声信号及び／又は画像信号を再生するＡＶ（オーディオ・ビデオ）プレーヤに関し、特に、携帯用のＡＶプレーヤに関する。
【背景技術】
【０００２】
近年、インターネットを介して、音楽や映画等のコンテンツを有料又は無料で配信することが行われており、例えば、インターネットを介して配信される情報をダウンロードして音声信号を再生する端末装置として、ＭＰ３プレーヤが実用化されている。このようなコンテンツの提供に際しては、利用期限を定めることも行なわれる。ユーザが使用する端末装置は、インターネットを介してコンテンツを受信すると共に、何らかの方法で時刻情報を得ることにより、利用期限内においてコンテンツの再生を可能とする。このような期限付きのコンテンツの提供は、著作権の保護のみならず、ＣＤの販売促進のための音楽の視聴用としても利用価値があると考えられている。
【０００３】
関連する技術として、下記の特許文献１には、ディジタル情報の利用者に再生期限が到来したことをそれとなく告知すると共に、再生期限到来後は、ディジタル情報の内容が確実に守秘されるディジタル情報の記録再生装置等が開示されている。この記録再生装置においては、再生期限を示す条件情報が付されたディジタル情報を記録媒体から再生して出力するために、制御手段が条件情報に基づいて再生期限の到来を判断し、再生期限が到来したと判断すると、当該ディジタル情報からランダムにデータを選出し、選出されたデータについて変更又は消去したディジタル情報を記録媒体に更新記録して、変更又は消去されたデータの位置を記録媒体に記録する。従って、これ以降に記録媒体からディジタル情報を再生して出力すると、その内容はデータの変更又は消去により劣化した状態となる。
【０００４】
この記録再生装置においては、時刻情報を得るために、システムマイコンに内蔵された時計が用いられる。また、特許文献１には、システムマイコンの時計は電波時計等によって常に正しい時刻に自動的に合わせられる構成にすると、より厳密な再生危険の管理が可能であると記載されている。しかしながら、端末装置の設置場所や時間帯によっては、電波時計用の電波が弱くなって時刻情報が得られない場合もあるので、これに対する対策が必要となる。一方、ユーザが自由に時刻情報を更新できるようにすれば、時刻情報が改竄されるおそれがある。
【０００５】
下記の特許文献２には、受信の回避又は電波の偽造があったとしても、端末装置がもつ情報の真正性の保証を図ることができる情報配布システム及び端末装置が開示されている。この情報配布システム及び端末装置においては、受信用端末が、放送局から送信される配布情報を受信してその時間情報を更新記憶する機能を有し、現在記憶した時間情報と新たに受信した時間情報とが同期するとき、配布情報を利用し、非同期のとき、利用を停止し、契約情報サーバが、外部から受けた送信要求に基づいて、受信用端末における現在記憶した時間情報を新たに受信した時間情報と同期させるための修正情報を受信用端末宛てに送信するので、受信の回避又は電波の偽造があっても、受信用端末内に更新記憶された時間情報と放送局から受信した時間情報とが非同期となって配布情報の利用が停止されるか、送信要求に基づく修正情報の受信により受信用端末内の時間情報を修正する。しかしながら、インターネット等のネットワークを介して配信される情報を用いるＡＶプレーヤのために、このような契約情報サーバを別個に設けることは、コストの面からも考えられない。
【特許文献１】特開２００２−６８８５号公報（第１、３頁、図２）
【特許文献２】特開２０００−２２４１２２号公報（第１頁、図１）
【発明の開示】
【発明が解決しようとする課題】
【０００６】
そこで、上記の点に鑑み、本発明は、インターネット等のネットワークを介して配信される情報に基づいて音声信号及び／又は画像信号を再生するＡＶプレーヤにおいて、利用期限が定めされたコンテンツを再生する場合に、時刻情報の改竄を防止して適切な運用を図ることを目的とする。
【課題を解決するための手段】
【０００７】
以上の課題を解決するため、本発明の第１の観点に係るＡＶプレーヤは、利用期限が定められて外部から提供される情報に基づいて音声信号及び／又は画像信号を再生するＡＶプレーヤであって、受信した電波に基づいて時刻情報を取得する受信手段と、生成したクロック信号をカウントすることにより時間を計測する時間計測手段と、受信手段によって取得された時刻情報と時間計測手段によって計測された時間とに基づいて現在時刻を認識することにより、認識された現在時刻が情報の利用期限内である場合に音声信号及び／又は画像信号の再生を可能にすると共に、受信手段によって時刻情報が取得できない場合に、時間計測手段によって計測された時間に基づいて、ユーザが現在時刻を更新することができる回数及び／又は範囲を制限する制御手段と、外部から提供された情報を格納すると共に、制御手段の制御の下で、格納されている情報に基づいて音声信号及び／又は画像信号を再生する信号再生手段とを具備する。
【０００８】
ここで、制御手段が、ユーザによって現在時刻が更新された際に時間計測手段に含まれているタイマーをリセットし、タイマーによって計測されたリセットされてからの経過時間に基づいて、ユーザが現在時刻を更新することができる回数及び／又は範囲を制限するようにしても良い。
【０００９】
あるいは、ＡＶプレーヤが、時間計測手段において発生し得る誤差に関する情報を記憶する記憶手段をさらに具備し、制御手段が、ユーザによって現在時刻が更新された際に時間計測手段に含まれているタイマーをリセットし、タイマーによって計測されたリセットされてからの経過時間と記憶手段に記憶されている誤差に関する情報とに基づいて、ユーザが現在時刻を更新することができる回数及び／又は範囲を制限するようにしても良い。
【００１０】
また、ＡＶプレーヤが、温度を検知する温度検知手段をさらに具備し、制御手段が、温度検知手段によって検知された温度に基づいて、時間計測手段によって計測された時間を修正し、及び／又は、ユーザが現在時刻を更新することができる範囲を修正するようにしても良い。
【００１１】
また、本発明の第２の観点に係るＡＶプレーヤは、利用期限が定められて外部から提供される情報に基づいて音声信号及び／又は画像信号を再生するＡＶプレーヤであって、受信した電波に基づいて時刻情報を取得する受信手段と、生成したクロック信号をカウントすることにより時間を計測する時間計測手段と、時間計測手段において発生し得る誤差に関する情報を記憶する記憶手段と、受信手段によって取得された時刻情報と時間計測手段によって計測された時間と記憶手段に記憶されている誤差に関する情報とに基づいて、音声信号及び／又は画像信号の再生を可能とする制御手段と、外部から提供された情報を格納すると共に、制御手段の制御の下で、格納されている情報に基づいて音声信号及び／又は画像信号を再生する信号再生手段とを具備する。
【００１２】
ここで、制御手段が、受信手段によって取得された時刻情報と時間計測手段によって計測された時間とに基づいて現在時刻を認識すると共に、受信手段によって最後に時刻情報を取得した際に、時間計測手段に含まれているタイマーをリセットし、タイマーによって計測されたリセットされてからの経過時間と記憶手段に記憶されている誤差に関する情報とに基づいて、時間計測手段において現在発生し得る誤差を算出し、認識された現在時刻が情報の利用期限を経過しても現在発生し得る誤差内である場合に音声信号及び／又は画像信号の再生を可能とするようにしても良い。
【００１３】
また、ＡＶプレーヤが、温度を検知する温度検知手段をさらに具備し、制御手段が、温度検知手段によって検知された温度に基づいて、時間計測手段によって計測された時間を修正し、及び／又は、時間計測手段において現在発生し得る誤差を算出する際に誤差の値を修正するようにしても良い。
以上において、受信手段が、電波時計用の電波を受信して時刻情報を取得するようにしても良いし、ＧＰＳ用の電波を受信して時刻情報を取得するようにしても良い。
【発明の効果】
【００１４】
本発明の第１の観点によれば、ユーザが現在時刻を更新する際に、更新される回数及び／又は範囲を制限することにより、時刻情報の改竄を防止して適切な運用を図ることができる。また、本発明の第２の観点によれば、ユーザが操作しなくても、誤差に関する情報を考慮して音声信号及び／又は画像信号の再生を可能とすることにより、時刻情報の改竄を防止して適切な運用を図ることができる。
【発明を実施するための最良の形態】
【００１５】
以下、本発明を実施するための最良の形態について、図面を参照しながら詳しく説明する。なお、同一の構成要素には同一の参照番号を付して、説明を省略する。
図１は、本発明の第１の実施形態に係るＡＶプレーヤの構成を示す図である。本実施形態に係るＡＶプレーヤは、音楽や映画等のコンテンツを利用期限を定めて有料又は無料で配信するコンテンツ提供サーバに、インターネット等のネットワークを介して接続され、コンテンツ提供サーバから提供される情報に基づいて音声信号及び／又は画像信号を再生する。特に、本実施形態に係るＡＶプレーヤは、携帯用のモバイルプレーヤであり、ネットワークを介して情報が提供された後は、ネットワークから切り離して使用することができる。
【００１６】
図１に示すように、このＡＶプレーヤは、ネットワークに接続するためのインタフェース１０と、ユーザがＡＶプレーヤを操作するために用いる押しボタン等の操作部２０と、コンテンツ提供サーバから提供された情報を格納すると共に、格納されている情報に基づいて音声信号及び／又は画像信号を再生する信号再生部３０及びハードディスク又はメモリ等の格納部３１と、受信した電波に基づいて時刻情報を取得する電波受信部４０と、時刻情報等に基づいて現在時刻を認識及び管理することにより音声信号及び／又は画像信号の再生を可能にするマイクロ・コンピュータ・ユニット（ＭＣＵ）５０と、ユーザが現在時刻を更新するために用いる押しボタン等のユーザ入力部６０と、各部に電源を供給するバッテリ７０とを有している。また、このＡＶプレーヤは、オプションとして、ＭＣＵ５０近傍の温度を感知するための温度センサ８０をさらに有していても良い。
【００１７】
電波受信部４０は、局部発振用の少なくとも１つの水晶振動子４１を有しており、電波時計用の電波を受信して、受信した電波に基づいて時刻情報を取得する。あるいは、電波受信部４０は、ＧＰＳ用の電波を受信して、受信した電波に基づいて時刻情報を取得するようにしても良い。ＡＶプレーヤの接地場所や時間帯によっては、電波が弱くなって時刻情報が得られない場合もあるので、これに対する対策が必要となる。
【００１８】
ＭＣＵ５０は、リアルタイムクロック５１と、タイマー５３と、制御部５４と、不揮発性メモリ５５とを含んでいる。リアルタイムクロック５１及びタイマー５３は、時間を計測するための時間計測手段を構成している。
【００１９】
リアルタイムクロック５１には、基準周波数発振用の水晶振動子５２が接続されている。リアルタイムクロック５１は、発振動作を行うことにより計時用のクロック信号を生成して、このクロック信号をカウントすることにより現在時刻を求める。リアルタイムクロック５１の現在時刻は、工場出荷時に初期設定され、その後は、ヒューズを切る等により、初期設定に用いられた端子をユーザが使用できないようにしてある。以降、リアルタイムクロック５１の現在時刻は、制御部５４の制御の下で、電波受信部４０によって取得された時刻情報に基づいて修正される。
【００２０】
タイマー５３は、制御部５４によって、工場出荷時及び最終受信時にリセットされると共に、ユーザが現在時刻を更新した際にリセットされる。その後、タイマー５３は、リアルタイムクロック５１から出力される時間情報に基づいて、リセットされてからの経過時間を計測する。例えば、タイマー５３は、リアルタイムクロック５１から秒単位又は分単位で出力されるキャリー信号をカウントすることにより、リセットされてからの経過時間を計測する。
【００２１】
制御部５４は、ＣＰＵ（中央演算装置）、及び、不揮発性メモリ５５に記憶されているソフトウェア（制御プログラム）によって構成される。また、不揮発性メモリ５５には、時間計測手段（リアルタイムクロック５１及びタイマー５３）において発生し得る誤差に関する情報が、工場出荷時に誤差設定入力として入力されて記憶されている。
【００２２】
制御部５４は、電波受信部４０によって取得された時刻情報と、時間計測手段によって計測された時間とに基づいて、現在時刻を認識する。例えば、制御部５４は、電波受信部４０によって取得された時刻情報に基づいてリアルタイムクロック５１の現在時刻を修正し、リアルタイムクロック５１によって計測された時間に基づいて現在時刻を認識する。これにより、制御部５４は、認識された現在時刻がコンテンツ提供サーバから提供された情報の利用期限内である場合に、信号再生部３０による音声信号及び／又は画像信号の再生を可能にする。
【００２３】
また、制御部５４は、電波受信部４０によって時刻情報が取得できない場合に、タイマー５３によって計測されたリセットされてからの経過時間に基づいて、ユーザが現在時刻を更新することができる回数及び／又は範囲を制限する。あるいは、制御部５４は、タイマー５３によって計測されたリセットされてからの経過時間と、不揮発性メモリ５５に記憶されている誤差に関する情報とに基づいて、ユーザが現在時刻を更新することができる回数及び／又は範囲を制限する。
【００２４】
さらに、温度センサ８０が設けられている場合には、制御部５４が、温度センサ８０によって検知された温度に基づいて、リアルタイムクロック５１の現在時刻を修正するようにしても良いし、ユーザが現在時刻を更新することができる範囲を修正するようにしても良い。温度センサ８０としては、例えば、ＲＣ発振回路において抵抗の替わりにサーミスタを用いることにより、温度によって変化する周波数を有する信号を出力する抵抗値／周波数コンバータと、この抵抗値／周波数コンバータの出力信号に基づいて、温度を表すディジタル信号を出力するデコーダとを含む温度計測回路を用いることができる。
【００２５】
次に、本発明の第１の実施形態に係るＡＶプレーヤの動作について、図１及び図２を参照しながら詳しく説明する。図２は、本発明の第１の実施形態に係るＡＶプレーヤの動作を示すフローチャートである。
【００２６】
ステップＳ１１において、工場出荷時にタイマー５３をリセットする。ステップＳ１２において、制御部５４の制御の下で、電波受信部４０が、電波時計用の電波を受信する。ステップＳ１３において、制御部５４が、電波受信部４０によって時刻情報が取得されたか否かを判定する。
【００２７】
電波受信部４０によって時刻情報が取得された場合には、ステップＳ１４において、制御部５４が、電波受信部４０によって取得された時刻情報に基づいてリアルタイムクロック５１の現在時刻を修正することにより、時刻合わせをする。さらに、ステップＳ１５において所定の期間のウエイトが与えられた後に、処理がステップＳ１１に戻る。このようにして、所定の周期で電波の受信が繰り返される。
【００２８】
一方、電波受信部４０によって時刻情報が取得されなかった場合には、処理がステップＳ１６に移行し、タイマー５３がリセットされてから一定期間が経過したか否かが判定される。一定期間が経過していないと判定された場合には、処理がステップＳ１２に戻り、電波の受信が繰り返される。一方、一定期間が経過したと判定された場合には、処理がステップＳ１７に移行する。
【００２９】
ステップＳ１７において、リアルタイムクロック５１の現在時刻に誤差が生じたことを認識したユーザが、リアルタイムクロック５１の現在時刻を更新するために、ユーザ入力部６０を操作する。ステップＳ１８において、制御部５４の制御の下で、タイマー５３が、リセットされてからの経過時間を計測する。
【００３０】
ステップＳ１９において、制御部５４が、タイマー５３によって計測された経過時間に基づいて、ユーザが現在時刻を更新することができる回数及び／又は範囲の許容限度を設定する。例えば、制御部５４は、ユーザが現在時刻を更新することができる回数を、１日当り１回に制限する。あるいは、制御部５４は、ユーザが現在時刻を更新することができる範囲を、１回当り３分以内に制限する。なお、リアルタイムクロック５１において、許容限度を超える誤差が発生している場合には、電波を受信し易い場所にＡＶプレーヤを移動する等により、時刻情報を取得することが必要となる。
【００３１】
また、リアルタイムクロック５１において発生し得る誤差に関する情報が不揮発性メモリ５５に記憶されている場合に、制御部５４は、ユーザが現在時刻を更新することができる範囲の許容限度を、タイマー５３によって計測されたリセットされてからの経過時間とこの誤差に関する情報とに基づいて算出して設定するようにしても良い。例えば、リアルタイムクロック５１において発生し得る誤差が１日当り１０秒である場合には、タイマー５３によって計測されたリセットされてからの経過時間が１２時間であれば、制御部５４は、ユーザが現在時刻を更新することができる範囲の許容限度を５秒に設定する。
【００３２】
さらに、ＡＶプレーヤに温度センサ８０が設けられている場合には、温度センサ８０によって検知された温度に基づいて、ユーザが現在時刻を更新することができる範囲の許容限度を修正するようにしても良い。
【００３３】
ステップＳ２０において、制御部５４が、ユーザによる更新の回数及び／又は範囲が許容限度内か否かを判定する。ユーザによる更新の回数及び／又は範囲が許容限度内でない場合には、処理がステップＳ２１に移行してエラー表示を行った後に、ステップＳ１７に戻る。一方、ユーザによる更新の回数及び／又は範囲が許容限度内である場合には、処理がステップＳ２２に移行する。ステップＳ２２において、ユーザによって入力された現在時刻の情報に基づいて、制御部５４が、リアルタイムクロック５１の現在時刻を更新する。その後、処理がステップＳ１１に戻り、再び電波の受信が試みられる。
【００３４】
次に、本発明の第２の実施形態について説明する。
図３は、本発明の第２の実施形態に係るＡＶプレーヤの構成を示す図である。このＡＶプレーヤにおいては、図１に示す第１の実施形態に係るＡＶプレーヤにおけるユーザ入力部６０が存在しないので、ユーザがリアルタイムクロック５１の現在時刻を更新することはできない。その替わりに、不揮発性メモリ５５には、リアルタイムクロック５１において発生し得る誤差に関する情報が記憶されており、ＭＣＵ９０の制御部９１は、電波受信部４０によって取得された時刻情報と、時間計測手段（リアルタイムクロック５１及びタイマー５３）によって計測された時間と、不揮発性メモリ５５に記憶されている誤差に関する情報とに基づいて、音声信号及び／又は画像信号の再生を可能にする。
【００３５】
例えば、制御部９１は、電波受信部４０によって取得された時刻情報と時間計測手段によって計測された時間とに基づいて現在時刻を認識すると共に、電波受信部４０によって最後に時刻情報を取得した際に、時間計測手段に含まれているタイマー５３をリセットし、タイマー５３によって計測されたリセットされてからの経過時間と不揮発性メモリ５５に記憶されている誤差に関する情報とに基づいて、時間計測手段において現在発生し得る誤差を算出する。これにより、制御部９１は、認識された現在時刻が情報の利用期限を経過していても、現在発生し得る誤差内であれば、音声信号及び／又は画像信号の再生を可能とする。
【００３６】
さらに、温度センサ８０が設けられている場合には、制御部９１が、温度センサ８０によって検知された温度に基づいて、リアルタイムクロック５１の現在時刻を修正するようにしても良いし、時間計測手段において現在発生し得る誤差を算出する際に誤差の値を修正するようにしても良い。
【００３７】
次に、本発明の第２の実施形態に係るＡＶプレーヤの動作について、図３及び図４を参照しながら詳しく説明する。図４は、本発明の第２の実施形態に係るＡＶプレーヤの動作を示すフローチャートである。
【００３８】
ステップＳ３１において、工場出荷時にタイマー５３をリセットする。ステップＳ３２において、制御部９１の制御の下で、電波受信部４０が、電波時計用の電波を受信する。ステップＳ３３において、制御部９１が、電波受信部４０において時刻情報が得られたか否かを判定する。
【００３９】
電波受信部４０によって時刻情報が取得された場合には、ステップＳ３４において、制御部９１が、電波受信部４０によって取得された時刻情報に基づいてリアルタイムクロック５１の現在時刻を修正することにより、時刻合わせをする。さらに、ステップＳ３５において所定の期間のウエイトが与えられた後に、処理がステップＳ３１に戻る。このようにして、所定の周期で電波の受信が繰り返される。
【００４０】
電波受信部４０によって時刻情報が取得された場合に、リアルタイムクロック５１の現在時刻が、格納部３１に記録されている情報の利用期限内であれば、ユーザの操作により音声信号及び／又は画像信号の再生が可能となるが、これは一般的な技術であるので、図４のフローチャートには示されていない。一方、電波受信部４０によって時刻情報が取得されなかった場合には、処理がステップＳ３６に移行する。
【００４１】
ステップＳ３６において、ユーザが、格納部３１に記録されている情報に基づいて音声信号及び／又は画像信号を再生するために、操作部２０を操作する。これに応答して、ステップＳ３７において、制御部９１の制御の下で、タイマー５３が、リセットされてからの経過時間を計測する。
【００４２】
ステップＳ３８において、制御部９１が、タイマー５３によって計測されたリセットされてからの経過時間と、不揮発性メモリ５５に記憶されている誤差に関する情報とに基づいて、時間計測手段において現在発生し得る誤差を算出する。
【００４３】
ステップＳ３９において、制御部９１が、音声信号及び／又は画像信号の再生が可能か否かを判定する。ここで、制御部９１は、認識された現在時刻が情報の利用期限を経過していても、現在発生し得る誤差内であれば、音声信号及び／又は画像信号の再生を可能とする。
【００４４】
さらに、ＡＶプレーヤに温度センサ８０が設けられている場合には、温度センサ８０によって検知された温度に基づいて、時間計測手段において現在発生し得る誤差を算出する際に誤差の値を修正するようにしても良い。
【００４５】
音声信号及び／又は画像信号の再生が可能でないと判定された場合には、処理がステップＳ４０に移行して、制御部９１が、期限経過により再生できない旨のエラー表示を行う。その後、処理がステップＳ３２に戻る。一方、音声信号及び／又は画像信号の再生が可能であると判定された場合には、処理がステップＳ４１に移行する。ステップＳ４１において、制御部９１の制御の下で、信号再生部３０が、格納部３１に記録されている情報に基づいて音声信号及び／又は画像信号を再生する。その後、処理がステップＳ３２に戻り、再び電波の受信が試みられる。
【図面の簡単な説明】
【００４６】
【図１】本発明の第１の実施形態に係るＡＶプレーヤの構成を示す図。
【図２】本発明の第１の実施形態に係るＡＶプレーヤの動作を示すフローチャート。
【図３】本発明の第２の実施形態に係るＡＶプレーヤの構成を示す図。
【図４】本発明の第２の実施形態に係るＡＶプレーヤの動作を示すフローチャート。
【符号の説明】
【００４７】
１０  インタフェース、  ２０  操作部、  ３０  信号再生部、  ３１  格納部、  ４０  電波受信部、  ４１  水晶振動子、  ５０、９０  マイクロ・コンピュータ・ユニット（ＭＣＵ）、  ５１  リアルタイムクロック、  ５２  水晶振動子、  ５３  タイマー、  ５４、９１  制御部、  ５５  不揮発性メモリ、  ６０  ユーザ入力部、  ７０  バッテリ、  ８０  温度センサ
【図１】
2006202390.tif 000003
【図２】
2006202390.tif 000004
【図３】
2006202390.tif 000005
【図４】
2006202390.tif 000006